(57)【要約】【課題】装着状態におけるずれを防止すると共に快適な装着感が得られる頭部装着型ディスプレイを提供する。【解決手段】本発明の頭部装着型ディスプレイ１は、画像を表示する画像表示素子と、画像表示素子とユーザの視軸とを結ぶ光路上に配置され、画像表示素子に表示された画像を前記ユーザの眼に拡大して投影する拡大光学系と、画像表示素子及び拡大光学系を前記ユーザの眼前に位置させるフレーム部とを備え、フレーム部は、画像表示素子及び拡大光学系を内蔵するフロント部２と、一方の端部がフロント部２の右側端部と接続され、一方の端部と他方の端部とを結ぶ方向における位置を調整可能なウェイト５が配置された右テンプル部３と、一方の端部がフロント部２の左側端部と接続され、一方の端部と他方の端部とを結ぶ方向における位置を調整可能なウェイト５が配置された左テンプル部４とを備える。【選択図】  図１
2009065440.tif 000002
【特許請求の範囲】
【請求項１】
画像を表示する画像表示素子と、
前記画像表示素子とユーザの視軸とを結ぶ光路上に配置され、前記画像表示素子に表示された画像を前記ユーザの眼に拡大して投影する拡大光学系と、
前記画像表示素子及び前記拡大光学系を前記ユーザの眼前に位置させるフレーム部と
を備え、
前記フレーム部は、
前記画像表示素子及び前記拡大光学系を内蔵するフロント部と、
一方の端部が前記フロント部の右側端部と接続され、前記一方の端部と他方の端部とを結ぶ方向における位置を調整可能なウェイトが配置された右テンプル部と、
一方の端部が前記フロント部の左側端部と接続され、前記一方の端部と他方の端部とを結ぶ方向における位置を調整可能なウェイトが配置された左テンプル部と、
を備えることを特徴とする頭部装着型ディスプレイ。
【請求項２】
前記ウェイトは、前記右テンプル部及び前記左テンプル部の前記他方の端部にねじにより支持され、前記ウェイトは前記ねじを回転させることによって、位置調整が可能であることを特徴とする請求項１記載の頭部装着型ディスプレイ。
【請求項３】
前記右テンプル部及び左テンプル部は、前記右テンプル部及び前記左テンプル部の前記一方の端部から前記他方の端部までの略中央位置と前記他方の端部までの何れかの位置に形成された、前記ウェイトを支持すると共に前記ウェイトがスライド可能な溝を有し、
前記ウェイトは、前記溝に沿ってスライドすることによって位置調整が可能であることを特徴とする請求項１記載の頭部装着型ディスプレイ。
【請求項４】
前記ウェイトは、交換可能であることを特徴とする請求項１乃至請求項３の何れか一項に記載の頭部装着型ディスプレイ。
【発明の詳細な説明】
【技術分野】
【０００１】
本発明は、ユーザの眼に画像を拡大して投影する頭部装着型ディスプレイに関するものである。
【背景技術】
【０００２】
従来、ユーザの頭部に装着可能であり、装着状態においてディスプレイに表示された画像を鑑賞することが可能な装置として、頭部装着型ディスプレイや眼鏡型表示装置が知られている。例えば、特許文献１にはユーザの頭部に装着可能なテンプル付き眼鏡フレームに、ユーザの視野内に画像を表示する画像表示手段を固定した眼鏡型画像表示装置が開示されている。
【特許文献１】特開２００６−１３３３７６号公報
【発明の開示】
【発明が解決しようとする課題】
【０００３】
ところで、頭部装着型ディスプレイや眼鏡型表示装置においては、一般の眼鏡においてレンズが装着されている部分に、画像の投影を行なう装置が配置されているため、一般の眼鏡に比べ、前方の重量が重く、ユーザの鼻にかかる負担が大きい。従って、ユーザが少し顔を動かした場合であっても、装置全体が前方にずれやすく、またフロント部の荷重により鼻に痛みを感じるユーザが存在する。
【０００４】
本発明の課題は、ユーザの頭部に装着した状態におけるずれを適切に防止すると共に、快適な装着感を得ることができる頭部装着型ディスプレイを提供することである。
【課題を解決するための手段】
【０００５】
以下に本発明の構成を実施形態の符号を付して説明するが、本発明は、本実施形態に限定されるものではない。
【０００６】
本発明の頭部装着型ディスプレイ（１）は、画像を表示する画像表示素子（６Ｒ、６Ｌ）と、前記画像表示素子（６Ｒ、６Ｌ）とユーザの視軸（ＥＲ、ＥＬ）とを結ぶ光路上に配置され、前記画像表示素子（６Ｒ、６Ｌ）に表示された画像を前記ユーザの眼に拡大して投影する拡大光学系（７Ｒ、７Ｌ）と、前記画像表示素子（６Ｒ、６Ｌ）及び前記拡大光学系（７Ｒ、７Ｌ）を前記ユーザの眼前に位置させるフレーム部とを備え、前記フレーム部は、前記画像表示素子（６Ｒ、６Ｌ）及び前記拡大光学系（７Ｒ、７Ｌ）を内蔵するフロント部（２）と、一方の端部が前記フロント部（２）の右側端部と接続され、前記一方の端部と他方の端部とを結ぶ方向における位置を調整可能なウェイト（５）が配置された右テンプル部（３）と、一方の端部が前記フロント部（２）の左側端部と接続され、前記一方の端部と他方の端部とを結ぶ方向における位置を調整可能なウェイト（５）が配置された左テンプル部（４）とを備える。
【発明の効果】
【０００７】
本発明の頭部装着型ディスプレイによれば、右テンプル部及び左テンプル部に、一方の端部と他方の端部とを結ぶ方向における位置を調整可能なウェイトが配置されているため、適切な重量バランスを得ることができる。即ち、テンプル部に配置されているウェイトが、フロント部の重量に対するカウンターウェイトとして作用するため、フロント部を支える鼻への荷重を分散し、装置全体の前方へのずり落ちを適切に防止すると共に、快適な装着感を得ることができる。
【発明を実施するための最良の形態】
【０００８】
以下、図面を参照して本発明の第１の実施の形態に係る頭部装着型ディスプレイについて説明する。図１は、第１の実施の形態に係る頭部装着型ディスプレイ１の外観を模式的に示す図である。頭部装着用ディスプレイ１は、画像表示素子および拡大光学系を内蔵するフロント部２、一方の端部がフロント部２の右側端部と接続され、他方の端部に位置を調整可能なウェイト５が配置された右テンプル部３及び一方の端部がフロント部２の左側端部と接続され、他方の端部に位置を調整可能なウェイト５が配置された左テンプル部４を備えて構成されている。なお、フロント部２、右テンプル部３、左テンプル部４、及びウェイト５により、頭部装着型ディスプレイ１のフレーム部が構成されている。
【０００９】
ウェイト５は、図１に示すように、右テンプル部３及び左テンプル部４の他方の端部にねじにより支持され、図２に示すように該ねじは所定の長さを有しているため、ねじを回転させることによって、テンプル部の一方の端部と他方の端部とを結ぶ方向におけるウェイトの位置を調整することができる。また、図１に示すように、ねじを回転させることによってテンプル部の端部よりウェイト５を取外し、異なる重さを有する他のウェイト５´を取り付けることによって、ウェイトを交換することができる。
【００１０】
頭部装着型ディスプレイ１のフロント部２には、図２に示すように、画像を表示する画像表示素子６Ｒ、６Ｌと、画像表示素子６Ｒ、６Ｌに表示された画像をユーザの眼に拡大して投影する拡大光学系７Ｒ、７Ｌと、画像表示素子６Ｒ、６Ｌを駆動し、画像表示を行なう駆動部８とが設けられている。拡大光学系７Ｒは、画像表示素子６Ｒとユーザの右眼の視軸ＥＲとを結ぶ光路上に配置され、画像表示素子６Ｒに表示された画像をユーザの右眼に拡大して投影する。同様に、拡大光学系７Ｌは、画像表示素子６Ｌとユーザの左眼の視軸ＥＬとを結ぶ光路上に配置され、画像表示素子６Ｌに表示された画像をユーザの左眼に拡大して投影する。なお、画像表示素子６Ｒ、６Ｌとしては、例えば、カラー液晶表示素子等の液晶デバイスが用いられる。
【００１１】
また、フロント部２には、図示しない操作つまみ等が設けられており、該操作つまみをユーザが操作することにより、画像表示素子６Ｒ、６Ｌの位置を、例えば、ユーザの視軸ＥＲ、ＥＬに沿った方向に移動させ、最適な観察状態への調整を行うことができる。
【００１２】
本第１の実施の形態に係る頭部装着型ディスプレイによれば、左右のテンプル部の他の端部にそれぞれ配置されたウェイトにより、頭部装着型ディスプレイの前方と後方との重さのバランスが保たれるため、ユーザが顔を動かした場合における前方へのずり落ちを適切に防止することができる。また、テンプル部に配置されたウェイトにより、フロント部を支える鼻への荷重を適切に分散し、鼻への負担を軽減させているため、快適な装着感を得ることができる。
【００１３】
また、ウェイトの位置調整が可能であると共に、ウェイトを交換することができることから、様々なユーザに対応することができる。即ち、フロント部を支える鼻に対する荷重の軽減度合いを、ウェイトの位置を調整したり、ウェイトを交換したりすることによって、ユーザの好みにより変更することができ、ユーザ毎の快適な装着感を簡便に実現することができる。
【００１４】
図３は、本発明の第２の実施の形態に係る頭部装着型ディスプレイの外観を模式的に示す図である。頭部装着型ディスプレイ１０は、フロント部２、右テンプル部１１、左テンプル部１２及びウェイト１３より構成されている。なお、フロント部は、第１の実施の形態に係る頭部装着型ディスプレイ１が備えるフロント部と同一の構成であるため、同一の符号を用い、詳細な説明を省略する。
【００１５】
右テンプル部１１及び左テンプル部１２には、フロント部２（一方の端部）から他方の端部までの略中央位置から他方の端部までの位置に、ウェイト１３を支持すると共にウェイト１３がスライド可能な溝１４が形成されている。即ち、溝１４に沿ってウェイト１３をスライドさせることにより、テンプル部の一方の端部と他方の端部とを結ぶ方向におけるウェイト１３の位置を調整することができる。なお、第２の実施の形態に係る頭部装着型ディスプレイにおいても、上述の第１の実施の形態に係る頭部装着ディスプレイと同様に、ウェイト１３は、重さの異なる他のウェイトに交換することができる。
【００１６】
本第２の実施の形態に係る頭部装着型ディスプレイによれば、左右のテンプル部に形成された溝によりウェイトを支持すると共にスライド可能にしているため、容易にウェイトの位置を調整することができる。従って、溝が形成されている範囲においてウェイトの位置を容易に調整し、フロント部を支える鼻に対する荷重を適切に軽減し、快適な装着感を容易に得ることができる。
【００１７】
なお、上述の実施の形態に係る頭部装着型ディスプレイにおいて用いられるウェイトは、図１乃至図３に示すものに限定されるものではない。即ち、所定の重量を得られるものであれば、ウェイトの形状や材質等はどのようなものであってもよい。
【００１８】
また、上述の実施の形態に係る頭部装着型ディスプレイにおいては、左右のテンプル部に、それぞれ１つのウェイトを配置しているが、配置するウェイトの数は複数であってもよい。例えば、ウェイト同士が接続可能となっている場合には、既に配置されているウェイトに、他のウェイトを接続することによって、ウェイトの重さを調整するようにしてもよい。
【図面の簡単な説明】
【００１９】
【図１】本発明の第１の実施の形態に係る頭部装着型ディスプレイの外観を模式的に示す図である。
【図２】本発明の第１の実施の形態に係る頭部装着型ディスプレイの内部構成を示す図である。
【図３】本発明の第２の実施の形態に係る頭部装着型ディスプレイの外観を模式的に示す図である。
【符号の説明】
【００２０】
１、１０・・・頭部装着型ディスプレイ、２・・・フロント部、３、１１・・・右テンプル部、４、１２・・・左テンプル部、５、５´、１３・・・ウェイト、６Ｒ、６Ｌ・・・画像素子、７Ｒ、７Ｌ・・・拡大光学系、８・・・駆動部、１４・・・溝。
【図１】
2009065440.tif 000003
【図２】
2009065440.tif 000004
【図３】
2009065440.tif 000005